(57)【要約】【課題】主室、副室の設定が登録された居室親機の間のみで住戸間通話を可能とし、この住戸間通話で使用される通話チャンネルが独占して集合玄関機および居室親機の間、管理室親機および居室親機の間で使用する通話チャンネルが制限されるのを回避する。【解決手段】設定パーソナルコンピュータ３により主室、副室の設定が登録された居室親機１１ａ、１２ａ、・・・、１１ｂ、１２ｂ、・・・、・・・の間のみで住戸間通話を行うことができる。また、住戸間通話で使用される通話チャンネルを制限することにより、集合玄関機１から居室親機への呼び出し、通話を行うために使用する通話チャンネルと管理室親機２から居室親機への呼び出し、通話を行うために使用する通話チャンネルとがそれぞれ確保され、これらの機器間が話中状態になることを回避できる。【選択図】  図１
2004289655.tif 000002
【特許請求の範囲】
【請求項１】
集合玄関に設置される集合玄関機（１）と、各住戸内に設置される居室親機（１１ａ、１２ａ、・・・、１１ｂ、１２ｂ、・・・、・・・）と、管理室内等に設置される管理室親機（２）と、前記集合玄関機、前記居室親機、前記管理室親機をそれらの間で呼び出し、通話が可能となるようにそれぞれ制御するための制御機（４）とから構成され、
前記制御機は、前記通話を行うための通話チャンネルを住戸間通話のみで独占して前記集合玄関機または前記管理室親機から各住戸への呼び出し、通話が不可能となるのを回避するために、前記住戸間通話で使用される通話チャンネルを制限するための制御機制御回路（２０）を備えたことを特徴とする集合住宅インターホンシステム。
【請求項２】
居住者により使用される主室としての住戸および前記主室の居住者との間で通話の必要性がある居住者により使用される副室としての住戸について、それぞれ主室、副室の設定を行うための設定パーソナルコンピュータ（３）を備え、
前記居室親機は、前記設定を前記居室親機へと登録することにより、前記主室、副室の設定が未登録である前記居室親機においては、前記住戸間通話を不可能とするための居室親機制御回路（３５）を備えたことを特徴とする請求項１記載の集合住宅インターホンシステム。
【発明の詳細な説明】
【０００１】
【発明の属する技術分野】
本発明は集合住宅インターホンシステムに係り、特に、居住者により使用される主室としての住戸および主室の居住者との間で通話の必要性がある居住者により使用される副室としての住戸の間で住戸間通話を行うことができる集合住宅インターホンシステムに関する。
【０００２】
【従来の技術】
従来から、この種の集合住宅インターホンシステムとして、個々に異なる内線番号を有し、この内線番号に対し複数の通話回線を有する住戸親機と、この住戸親機の内線番号を、他の住戸親機から受信すると本装置を介して、内線番号を送出した住戸親機と内線番号の住戸親機の複数の通話回線のうち、使用されていない通話回線とを接続する中央制御装置とを設け、中央制御装置が、内線番号を送出した住戸親機と、この内線番号の住戸親機の複数の通話回線のうち、使用されていない通話回線とを接続することにより、通話回線が使用されているため、通話できないということがなく、内線通話が話中となる可能性を少なくすることができるという効果を有する集合住宅用インターホンシステムが開示されている（例えば、特許文献１）。
【０００３】
【特許文献１】特開平８−１６３２５７号公報（段落番号００３８等）
【発明が解決しようとする課題】
しかしながら、従来例の集合住宅用インターホンシステムでは、住戸親機および住戸親機の間、管理事務室親機および住戸親機の間でそれぞれ区別なく通話回線（通話チャンネル）が空いていれば内線通話を可能としているため、居住者により使用される主室としての住戸および主室に在室中の居住者との間で通話を行う必要がある居住者により使用される副室としての住戸との間で住戸間通話を行う場合、この住戸間通話のみで通話回線（通話チャンネル）が独占されると、上述の管理事務室親機から住戸親機への呼び出し、内線通話を行うことができない難点があった。
【０００４】
本発明は、上述の難点を解消するためになされたもので、主室、副室の設定が登録された居室親機の間のみで住戸間通話を可能とし、この住戸間通話で使用される通話チャンネルが独占して集合玄関機および居室親機の間、管理室親機および居室親機の間で使用する通話チャンネルが制限されるのを回避できる集合住宅インターホンシステムを提供することを目的としている。
【０００５】
【課題を解決するための手段】
上述の目的を達成するため、本発明の集合住宅インターホンシステムは、集合玄関に設置される集合玄関機と、各住戸内に設置される居室親機と、管理室内等に設置される管理室親機と、集合玄関機、居室親機、管理室親機をそれらの間で呼び出し、通話が可能となるようにそれぞれ制御するための制御機とから構成されている。制御機は、通話を行うための通話チャンネルを住戸間通話のみで独占して集合玄関機または管理室親機から各住戸への呼び出し、通話が不可能となるのを回避するために、住戸間通話で使用される通話チャンネルを制限するための制御機制御回路を備えている。
【０００６】
このような集合住宅インターホンシステムによれば、主室、副室の設定が登録された居室親機の間で行われる住戸間通話で使用される通話チャンネルが制限されることにより、集合玄関機から居室親機への呼び出し、通話を行うために使用する通話チャンネルと管理室親機から居室親機への呼び出し、通話を行うために使用する通話チャンネルとがそれぞれ確保される。
【０００７】
また、本発明の集合住宅インターホンシステムは、居住者により使用される主室としての住戸および主室の居住者との間で通話の必要性がある居住者により使用される副室としての住戸について、それぞれ主室、副室の設定を行うための設定パーソナルコンピュータを備えている。居室親機は、設定を居室親機に登録することにより、主室、副室の設定が未登録である居室親機においては、住戸間通話を不可能とするための居室親機制御回路を備えている。
【０００８】
このような集合住宅インターホンシステムによれば、設定パーソナルコンピュータにより主室、副室の設定が登録された居室親機の間のみで住戸間通話を行うことができる。一方、主室、副室の設定が未登録である居室親機の間において住戸間通話を行うことは不可能となるため、必要な通話チャンネルが的確に確保される。
【０００９】
【発明の実施の形態】
以下、本発明の集合住宅インターホンシステムを適用した好ましい形態の実施例について、図面を参照して説明する。
【００１０】
図１は、本発明の実施例による多棟対応の集合住宅インターホンシステムの構成を示すブロック図である。
【００１１】
図１のブロック図に示す集合住宅インターホンシステムは、集合玄関に設置され、系統が異なる複数の棟、例えば、棟番号が「Ａ」、「Ｂ」、・・・に予め割り当てられている複数の棟の各住戸内に在室中の居住者のうち、特定の棟の住戸内に在室中の居住者、または管理室内等に在室中の管理人を来訪者が呼び出して通話を行うための集合玄関機１と、複数の棟の各住戸内に設置され、集合玄関に居る来訪者、または自住戸に主室、副室の設定が予め登録されている場合における他方の住戸内に在室中の居住者、または管理室内等に在室中の管理人からの呼び出しが報知され、これに応答した（呼出先の）居住者が来訪者、（呼出元の）居住者、または管理人との間で通話を行うとともに、（呼出元の）居住者が（呼出先の）居住者、または管理人を呼び出して通話を行うための複数の居室親機、ここでは、個別の部屋番号「１」、「２」、・・・、「１１」、「１２」、・・・、・・・を有する複数の居室親機１１ａ、１２ａ、・・・、１１ｂ、１２ｂ、・・・、・・・と、管理室内等に設置され（個別の）部屋番号をなす管理室番号（詳述せず）を有しており、集合玄関に居る来訪者からの呼び出しが報知され、これに応答した管理人が来訪者との間で通話を行うとともに、管理人が呼出元または呼出先である特定の棟の住戸内に在室中の居住者との間で通話を行い、また、単一または複数の棟の住戸内に在室中の居住者に対して一斉放送を行うための管理室親機２と、管理室内等に設置され、制御機４の後述する制御機メモリ２１の記憶内容、すなわち、複数の棟の各住戸のうち、居住者により使用される主室としての住戸および主室に在室中の居住者との間で通話を行う必要がある居住者により使用される副室としての住戸のそれぞれについての主室、副室の設定／設定変更を行うための設定パーソナルコンピュータ（以下、設定パソコンという。）３と、玄関機ラインＬ１を介して接続された集合玄関機１、居室親機ラインＬ２を介してバス接続された居室親機１１ａ、１２ａ、・・・、１１ｂ、１２ｂ、・・・、・・・、管理室親機ラインＬ３を介して接続された管理室親機２、パソコンラインＬ４を介して接続された設定パソコン３をそれぞれ制御するための制御機４とから構成されている。
【００１２】
なお、集合玄関に設置される集合玄関機１および管理室内等に設置される管理室親機２は１台に限定されず、複数台設置することもできる。
【００１３】
また、制御機４は、当該制御機の構成各部をそれぞれ制御するための制御機制御回路２０と、設定パソコン３にて設定／設定変更された内容（設定内容）、すなわち、複数の棟の各住戸のうち、居住者により使用される主室としての住戸および主室に在室中の居住者との間で通話を行う必要がある居住者により使用される副室としての住戸のそれぞれについて主室、副室の設定（設定内容）を居室親機１１ａ、１２ａ、・・・、１１ｂ、１２ｂ、・・・、・・・が有する部屋番号毎に割り当てて記憶するための制御機メモリ２１と、制御機制御回路２０および玄関機ラインＬ１の間の信号伝送路を形成するための通信回路（以下、玄関機側制御機Ｉ／Ｆという。）２２と、制御機制御回路２０および居室親機ラインＬ２の間の信号伝送路を形成するための通信回路（以下、居室親機側制御機Ｉ／Ｆという。）２３と、制御機制御回路２０および管理室親機ラインＬ３の間の信号伝送路を形成するための通信回路（以下、管理室親機側制御機Ｉ／Ｆという。）２４と、制御機制御回路２０およびパソコンラインＬ４の間の信号伝送路を形成するための通信回路（以下、パソコン側制御機Ｉ／Ｆという。）２５とを備えている。
【００１４】
さらに、居室親機１１ａ、１２ａ、・・・、１１ｂ、１２ｂ、・・・、・・・はそれぞれ同様な構成であり、住戸内に在室中の居住者が自居室親機の部屋番号を設定するための設定部３０と、この居住者が集合玄関に居る来訪者、または自住戸に主室、副室の設定が予め登録されている場合における他方の住戸内に在室中の居住者、または管理室内等に在室中の管理人からの呼び出しに応答するために操作するともに、この居住者が上述の他方の住戸内に在室中の居住者、または管理人を呼び出すために操作する操作部３１と、設定部３０の設定情報および操作部３１の操作情報等を表示するための表示部３２と、来訪者、または上述の他方の住戸内に在室中の居住者、または管理人からの呼び出しがある旨を呼出音の出力をもとに音声通知し、これに応答した居住者が来訪者、または上述の他方の住戸内に在室中の居住者、または管理人との間で通話を行うための音声を入出力するとともに、一斉放送の内容を音声通知するための呼出通話部３３と、制御機４の制御機メモリ２１の記憶内容と同様、設定パソコン３にて設定／設定変更された自住戸の主室、副室の設定（設定内容）が登録（記憶）される居室親機メモリ３４と、当該居室親機の構成各部をそれぞれ制御するための居室親機制御回路３５と、居室親機制御回路３５および居室親機ラインＬ２の間の信号伝送路を形成するための通信回路（以下、居室親機Ｉ／Ｆという。）３６とを備えている。
【００１５】
このように構成された本発明の実施例による集合住宅インターホンシステムにおいて、以下、具体的な動作について説明する。
【００１６】
図１のブロック図に示す当該システムが設置される集合住宅において、管理人等は、複数の棟の各住戸のうち、居住者により使用される主室としての住戸および主室に在室中の居住者との間で通話を行う必要がある居住者により使用される副室としての住戸のそれぞれについて管理室内等に設置された設定パソコン３を操作して主室、副室の設定（初期設定）、または制御機４の制御機メモリ２１に予め設定されている主室、副室の設定（設定内容）の変更を行うことができる。また、設定パソコン３からの設定データ信号Ｓ１は、パソコンラインＬ４、制御機４のパソコン側制御機Ｉ／Ｆ２５を介して制御機制御回路２０へと伝送され、これを検出した制御機制御回路２０の制御により、居室親機１１ａ、１２ａ、・・・、１１ｂ、１２ｂ、・・・、・・・が有する部屋番号毎に割り当てられて記憶される。ここでは、棟番号が「Ａ」、「Ｂ」、・・・に予め割り当てられている複数の棟の各住戸内に設置され個別の部屋番号「１」、「２」、・・・、「１１」、「１２」、・・・、・・・を有する（複数の）居室親機１１ａ、１２ａ、・・・、１１ｂ、１２ｂ、・・・、・・・のうち、居住者Ｐ１により使用される主室としての住戸が居室親機１１ａが設置された住戸であり、一方、主室に在室中の居住者Ｐ１との間で通話を行う必要がある居住者Ｐ２により使用される副室としての住戸が居室親機１１ｂが設置された住戸であると予め記憶されているものとする。
【００１７】
また、制御機４の制御機制御回路２０は、制御機メモリ２１へと記憶させた主室、副室の設定（設定内容）を読み出し、読み出された主室の設定（設定内容）データおよび居室親機１１ａが有する部屋番号「１」を含む主室設定データ信号Ｓ２と、同様に読み出された副室の設定（設定内容）データおよび居室親機１１ｂが有する部屋番号「１１」を含む副室設定データ信号Ｓ３とを居室親機側制御機Ｉ／Ｆ２３へとそれぞれ出力する。これら主室設定データ信号Ｓ２および副室設定データ信号Ｓ３は、居室親機側制御機Ｉ／Ｆ２３、居室親機ラインＬ２、居室親機１１ａ、１２ａ、・・・、１１ｂ、１２ｂ、・・・、・・・の居室親機Ｉ／Ｆ３６を介して居室親機制御回路３５へとそれぞれ伝送される。
【００１８】
また、居室親機１１ａ、１２ａ、・・・、１１ｂ、１２ｂ、・・・、・・・の居室親機制御回路３５は、伝送されてきた主室設定データ信号Ｓ２および副室設定データ信号Ｓ３にそれぞれ含まれている部屋番号「１」、「１１」と設定部３０にて予め設定されている自居室親機の部屋番号とを照合し、一致した場合にのみ同様に含まれている設定データ、すなわち、自住戸が主室の設定、または副室の設定である旨を居室親機メモリ３４へと登録（記憶）させるとともに、図２（ａ）の画面構成図に示す呼出画面、すなわち、通話の必要性がある副室に在室中の居住者Ｐ２、または同様に通話の必要性がある主室に在室中の居住者Ｐ１を呼び出すための別宅呼出ボタン４０ａを有する別宅有呼出画面４０を表示部３２へと表示させる。
【００１９】
ここでは、居室親機１１ａの居室親機制御回路３５のみ主室設定データ信号Ｓ２に含まれている部屋番号と自居室親機が有する部屋番号とが「１」で一致し、自住戸が主室の設定である旨が居室親機メモリ３４へと登録（記憶）されるとともに、図２（ａ）の画面構成図に示す別宅呼出ボタン４０ａを有する別宅有呼出画面４０が表示部３２へと表示される。また、居室親機１１ｂの居室親機制御回路３５のみ副室設定データ信号Ｓ３に含まれている部屋番号と自居室親機が有する部屋番号とが「１１」で一致し、自住戸が副室の設定である旨が居室親機メモリ３４へと登録（記憶）されるとともに、図２（ａ）の画面構成図に示す別宅呼出ボタン４０ａを有する別宅有呼出画面４０が表示部３２へと表示される。
【００２０】
なお、居室親機１１ａ、１２ａ、・・・、１１ｂ、１２ｂ、・・・、・・・の居室親機制御回路３５のうち、設定パソコン３にて主室、副室の設定が行われた居室親機１１ａ、１１ｂの居室親機制御回路３５を除く居室親機１２ａ、・・・、１２ｂ、・・・、・・・の居室親機制御回路３５、すなわち、主室、副室の設定が未登録である居室親機１２ａ、・・・、１２ｂ、・・・、・・・の居室親機制御回路３５は、表示部４２を制御して図２（ｂ）の画面構成図に示す呼出画面、すなわち、上述の別室呼出ボタン４０ａが非表示の別宅無呼出画面４１をそれぞれ表示させる。
【００２１】
次に、上述のような主室、副室の設定が登録された後、主室である居室親機１１ａが設置された住戸内に在室中の居住者Ｐ１が副室である居室親機１１ｂが設置された住戸内に在室中の居住者Ｐ２を呼び出して住戸間通話を行うために、居室親機１１ａの表示部３２へと予め表示されている図２（ａ）の画面構成図に示す別宅有呼出画面４０上の別宅呼出ボタン４０ａについて操作部３１を操作して選択すると、居室親機制御回路３５は、別宅呼び出しが行われた旨の別宅呼出情報および設定部３０にて予め設定されている自居室親機の部屋番号、すなわち、部屋番号「１」を含む別宅呼出データ信号Ｓ４を居室親機Ｉ／Ｆ３６へと出力する。この別宅呼出データ信号Ｓ４は、居室親機Ｉ／Ｆ３６、居室親機ラインＬ２、居室親機１１ａを除く居室親機１２ａ、・・・、１１ｂ、１２ｂ、・・・、・・・の居室親機Ｉ／Ｆ３６を介して居室親機制御回路３５へとそれぞれ伝送されるとともに、居室親機Ｉ／Ｆ３６、居室親機ラインＬ２、制御機４の居室親機側制御機Ｉ／Ｆ２３を介して制御機制御回路２０へと伝送される。
【００２２】
なお、居室親機１１ａを除く他の居室親機１２ａ、・・・、１１ｂ、１２ｂ、・・・、・・・の居室親機制御回路３５は、伝送されてきた別宅呼出データ信号Ｓ４が制御機４からの出力信号でないことにより、当該別宅呼出データ信号を無効であるとそれぞれ判断する。
【００２３】
また、制御機４の制御機制御回路２０は、伝送されてきた別宅呼出データ信号Ｓ４に含まれている部屋番号「１」に対応して制御機メモリ３１へと予め記憶されている副室の設定データに割り当てた部屋番号、すなわち、居室親機１１ｂが有する部屋番号「１１」を読み出し、読み出された部屋番号「１１」および上述の別宅呼出情報を含む別宅呼出転送データ信号Ｓ５を居室親機側制御機Ｉ／Ｆ２３へと出力する。この別宅呼出転送データ信号Ｓ５は、上述の主室設定データ信号Ｓ２および副室設定データ信号Ｓ３と同様な経路を介して居室親機１１ａ、１２ａ、・・・、１１ｂ、１２ｂ、・・・、・・・の居室親機制御回路３５へとそれぞれ伝送される。
【００２４】
また、居室親機１１ａ、１２ａ、・・・、１１ｂ、１２ｂ、・・・、・・・の居室親機制御回路３５は、伝送されてきた別宅呼出転送データ信号Ｓ５に含まれている部屋番号「１１」と設定部３０にて予め設定されている自居室親機の部屋番号とを照合し、一致した場合にのみ同様に含まれている別宅呼出情報をもとに主室である部屋番号「１」の住戸内に在室中の居住者Ｐ１からの呼び出しがある旨を検出して呼出通話部３３からの呼出音の出力や表示部３２からの呼出表示で報知する。ここでは、副室である部屋番号「１１」の住戸内に設置された居室親機１１ｂの居室親機制御回路３５のみ部屋番号が「１１」で一致することにより、上述の報知（呼出音の出力、呼出表示）が在室中の居住者Ｐ２に対して行われる。
【００２５】
この後、上述の報知（呼出音の出力、呼出表示）を確認した副室に在室中の居住者Ｐ２が、居室親機１１ｂにて応答操作（詳述せず）行うと、この居住者Ｐ２が使用する居室親機１１ｂの呼出通話部３３と、居室親機制御回路３５、居室親機Ｉ／Ｆ３６、居室親機ラインＬ２、制御機４の居室親機側制御機Ｉ／Ｆ２３、制御機制御回路２０、居室親機側制御機Ｉ／Ｆ２３、居室親機ラインＬ２、居室親機１１ａの居室親機Ｉ／Ｆ３６、居室親機制御回路３５を介して主室に在室中の居住者Ｐ１が使用する呼出通話部３３との間の通話路が形成され、形成された通話路を介して音声データ信号を送受信させることにより住戸間通話を行うことができる。
【００２６】
また、制御機５の制御機制御回路４０は、上述の住戸間通話が行われているときに使用される通話チャンネルが独占して、例えば、集合玄関機１から（特定の）居室親機１１ａ、１２ａ、・・・、１１ｂ、１２ｂ、・・・、・・・への呼び出し、通話や管理室親機２から（特定の）居室親機１１ａ、１２ａ、・・・、１１ｂ、１２ｂ、・・・、・・・への呼び出し、通話が不可能になるのを回避するため、住戸間通話で使用される通話チャンネルを制限、例えば、全８本の通話チャンネルが予め設定されている場合には４本の通話チャンネルまで住戸間通話で使用できるように制御している。
【００２７】
なお、上述の説明では、主室、副室の設定が登録された後の呼び出しとして、主室である居室親機１１ａが設置された住戸内に在室中の居住者Ｐ１が副室である居室親機１１ｂが設置された住戸内に在室中の居住者Ｐ２を呼び出した場合について説明したが、これに限定されず、副室である居室親機１１ｂが住戸内に設置された居住者Ｐ２が主室である居室親機１１ａが住戸内に設置された居住者Ｐ１を呼び出して住戸間通話を行うことも可能であり、このときの呼出操作としては、居室親機１１ｂの表示部３２へと予め表示されている図２（ａ）の画面構成図に示す別宅有呼出画面４０上の別宅呼出ボタン４０ａについて操作部３１を操作して選択する。
【００２８】
また、上述のように、主室、副室の設定が未登録である居室親機１２ａ、・・・、１２ｂ、・・・、・・・の表示部３２には、図２（ｂ）の画面構成図に示す別宅無呼出画面４１がそれぞれ表示されており、図２（ａ）の画面構成図に示す別宅呼出ボタン４０ａは非表示であることから、これら居室親機１２ａ、・・・、１２ｂ、・・・、・・・が設置された住戸内に在室中の居住者の間において住戸間通話を行うことは不可能となる。
【００２９】
【発明の効果】
以上の説明から明らかなように、本発明の集合住宅インターホンシステムによれば、設定パーソナルコンピュータ（設定パソコン）により主室、副室の設定が登録された居室親機の間のみで住戸間通話を行うことができる。また、住戸間通話で使用される通話チャンネルが制限されることにより、集合玄関機から居室親機への呼び出し、通話を行うために使用する通話チャンネルと管理室親機から居室親機への呼び出し、通話を行うために使用する通話チャンネルとがそれぞれ確保され、これらの機器間が話中状態になることを回避できる。さらに、居住者の引越等で主室、副室の設定が変更された場合でも、設定パーソナルコンピュータ（設定パソコン）からの設定変更のみでその旨の変更を完了させることができる。
【図面の簡単な説明】
【図１】図１は、本発明の実施例による集合住宅インターホンシステムの構成を示すブロック図である。
【図２】図２（ａ）は、本発明の実施例による集合住宅インターホンシステムにおいて主室、副室の設定が登録された居室親機の表示部へと表示される別宅有呼出画面の一例を示す画面構成図であり、図２（ｂ）は、本発明の実施例による集合住宅インターホンシステムにおいて主室、副室の設定が未登録である居室親機の表示部へと表示される別宅無呼出画面の一例を示す画面構成図である。
【符号の説明】
１・・・・・集合玄関機
２・・・・・管理室親機
３・・・・・設定パーソナルコンピュータ（設定パソコン）
４・・・・・制御機
２０・・・・・制御機制御回路
１１ａ、１２ａ、・・・、１１ｂ、１２ｂ、・・・、・・・  ・・・・・（複数の）居室親機
３５・・・・・居室親機制御回路
【図１】
2004289655.tif 000003
【図２】
2004289655.tif 000004